(57)【要約】【課題】電線と接続素子との電気的接続を確実にする。【解決手段】コネクタ１は、導電部５１，５６と導電部５１，５６を被覆する被覆部５２，５７とを備えた少なくとも２本の電線５０，５５を電気的に接続するための接続素子６０を有する。接続素子６０は、電線５０，５５のうち少なくとも１本に対して電線５０との電気的な接触が可能である一対の対向側壁６２ａによって形成されていて電線５０の挿入方向Ｉである深さ方向へ直状に延びる溝６１と、溝６１の入口において、対向側壁６２ａのそれぞれから挿入方向Ｉに直交する態様および挿入方向Ｉに鈍角で交差する態様のいずれかの態様で溝６１の幅を狭めるように延びる一対の被覆剥離部６９とを備える。【選択図】図１０
2014175052.tif 000002
【特許請求の範囲】
【請求項１】
導電部と前記導電部を被覆する被覆部とを備えた少なくとも２本の電線を電気的に接続するための接続素子を有するコネクタであって、
前記接続素子は、前記電線のうち少なくとも１本に対して前記電線との電気的な接触が可能である一対の対向側壁によって形成されていて前記電線の挿入方向である深さ方向へ直状に延びる溝と、前記溝の入口において、前記対向側壁のそれぞれから前記挿入方向に直交する態様および前記挿入方向に鈍角で交差する態様のいずれかの態様で前記溝の幅を狭めるように延びる一対の被覆剥離部とを備えることを特徴とするコネクタ。
【請求項２】
前記対向側壁は、前記溝における底部と前記被覆剥離部との間であって、前記被覆剥離部に近接する位置に、前記溝の幅方向における寸法が、前記一対の被覆剥離部の離間距離よりも大きい拡幅部を形成してある請求項１に記載のコネクタ。
【請求項３】
前記挿入方向において、前記拡幅部の下端部は、前記拡幅部よりも狭く前記電線と電気的に接触可能な狭幅部がつながっている請求項２に記載のコネクタ。
【請求項４】
前記接続素子は、前記拡幅部から前記狭幅部へと変化する部位が第２の被覆剥離部として作用する請求項３に記載のコネクタ。
【発明の詳細な説明】
【技術分野】
【０００１】
この発明は、導電部と前記導電部を被覆する被覆部とを備えた少なくとも２本の電線を電気的に接続するための接続素子を有するコネクタに関する。
【背景技術】
【０００２】
従来、２本の被覆部で被覆した電線を電気的に接続する接続素子を有するコネクタは公知である。この種のコネクタの中には、例えば図２５に示すように、例えば銅等の導電性を有する金属の導電部１０１と、導電部１０１の周面を覆い、合成樹脂製の絶縁性を有する被覆部１０２とをそれぞれ備える２本の電線１００ａ，１００ｂを電気的に接続する接続素子１１０を有するものがある。
【０００３】
接続素子１１０は、例えば銅等の導電性を有する金属を材料とし、一方の電線１００ａを挿入するための第１溝１１１を有する第１接続部１１２と、他方の電線１００ｂを挿入するための第２溝１１３を有する第２接続部１１４と、第１接続部１１２と第２接続部１１４とを連結する連結部１１５とを備えている。
【０００４】
各接続部１１２，１１４の溝１１１，１１３の入口には、奥側へ向かうに従って徐々に溝の幅が狭くなる狭幅部（被覆剥離部）１２０，１２１が設けてある。狭幅部１２０，１２１の奥側は、溝１１１，１１３の底部１２２，１２３まで溝１１１，１１３の幅が一様である。狭幅部１２０の奥側の幅は、図２６（ａ）に示す第１電線１００ａの導電部１０１の直径ｄ９よりもわずかに小さい寸法Ｈ９を有するよう構成してあり、図示省略するが、第２電線１００ｂの導電部１０１の直径よりもわずかに小さい寸法を有するように構成してある。
【０００５】
このコネクタでは、図２６（ａ）に示すように、例えば第１溝１１１の上方に第１電線１００ａを配置した後、上方から下方に向けて第１電線１００ａを移動する。第１電線１００ａの上下方向Ｖへの移動によって第１電線１００ａを第１溝１１１に圧入すると、図２６（ｂ）に示すように、第１接続部１１２の狭幅部１２０において、第１溝１１１の壁に対向する部分および上方の合成樹脂製の被覆部１０２が剥がれるとともに、導電部１０１が上下方向Ｖへ延び、かつ第１電線１００ａと、第１接続部１１２とが電気的に接続される。第２電線１００ｂについても上記操作と同様の操作を行い、第２電線１００ｂと、第２接続部１１４とを電気的に接続し、これにより第１電線１００ａと第２電線１００ｂとを電気的に接続していた。
【発明の概要】
【発明が解決しようとする課題】
【０００６】
近年、よく見られる合成樹脂製の被覆部を備える電線の他に、かつて普及していた紙製の被覆部を備える電線がある。
【０００７】
紙製の被覆部を備える電線に従来のコネクタを適用した場合、上記合成樹脂製の被覆部１０２を備える電線１００ａ，１００ｂと同様の操作を行っても、図２７に示すように、第１溝１１１の壁と、紙製の被覆部１３１とが滑るため、被覆部１３１が残ったまま溝１１１に電線１００ｃが圧入されたり、電線１００ｃの移動に伴って紙製の被覆部１３１の一部は破れるものの、破れた被覆部１３１が、導電部１０１と第１接続部１１２との間に挟まって、導電部１０１と第１接続部１１２とが電気的に接続されない問題が発生するおそれがあった。
【０００８】
そこで、この発明は、電線と接続素子との電気的接続を確実にすることができるコネクタを提供することを課題にしている。
【課題を解決するための手段】
【０００９】
前記課題を解決するためにこの発明が対象とするのは、導電部と前記導電部を被覆する被覆部とを備えた少なくとも２本の電線を電気的に接続するための接続素子を有するコネクタである。
【００１０】
このコネクタにおいて、この発明が特徴とするところは、前記接続素子が、前記電線のうち少なくとも１本に対して前記電線との電気的な接触が可能である一対の対向側壁によって形成されていて前記電線の挿入方向である深さ方向へ直状に延びる溝と、前記溝の入口において、前記対向側壁のそれぞれから前記挿入方向に直交する態様および前記挿入方向に鈍角で交差する態様のいずれかの態様で前記溝の幅を狭めるように延びる一対の被覆剥離部とを備えることである。
【００１１】
この発明の実施形態の一つにおいて、前記対向側壁は、前記溝における底部と前記被覆剥離部との間であって、前記被覆剥離部に近接する位置に、前記溝の幅方向における寸法が、前記一対の被覆剥離部の離間距離よりも大きい拡幅部を形成してある。
【００１２】
この発明の実施形態の他の一つにおいて、前記挿入方向において、前記拡幅部の下端部は、前記拡幅部よりも狭く前記電線と電気的に接触可能な狭幅部がつながっている。
【００１３】
この発明の実施形態の他の一つにおいて、前記接続素子は、前記拡幅部から前記狭幅部へと変化する部位が第２の被覆剥離部として作用する。
【発明の効果】
【００１４】
この発明に係るコネクタによれば、接続素子が、電線のうち少なくとも１本に対して電線との電気的な接触が可能である一対の対向側壁によって形成されていて電線の挿入方向である深さ方向へ直状に延びる溝と、溝の入口において、対向側壁のそれぞれから挿入方向に直交する態様および挿入方向に鈍角で交差する態様のいずれかの態様で溝の幅を狭めるように延びる一対の被覆剥離部とを備えるため、電線を溝に挿入するとき、接続素子の一対の被覆剥離部が、電線の被覆部に引掛かかり、被覆部に力が加わる。よって、被覆剥離部によって被覆部を確実に剥離することができるため、紙製の被覆部を有する電線にコネクタを適用する場合であっても、電線と接続素子との電気的接続を確実にすることができる。
【図面の簡単な説明】
【００１５】
【図１】コネクタの分解斜視図。
【図２】コネクタが備えるベースの斜視図。
【図３】図２の矢視ＩＩＩ−ＩＩＩ線の断面図。
【図４】コネクタが備える第１カバーの斜視図。
【図５】図４のＶ−Ｖ線の断面図。
【図６】コネクタが備える第２カバーの斜視図。
【図７】図６のＶＩＩ−ＶＩＩ線の断面図。
【図８】コネクタに使用する紙製の被覆部を有する電線の断面図。
【図９】コネクタに使用する合成樹脂製の被覆部を有する電線の断面図。
【図１０】（ａ）は、コネクタが備える接続素子の正面図。（ｂ）は、（ａ）の一部拡大図。（ｃ）は、接続素子の平面図。
【図１１】ベースに対して第１カバーを仮固定位置に配置した状態を示す斜視図。
【図１２】ベースに対して第２カバーを仮固定位置に配置した状態を示す斜視図。
【図１３】第１電線を第１溝の被覆剥離部に挿入する状態を示す説明図。
【図１４】第１電線を第１溝の拡幅部に挿入する状態を示す説明図。
【図１５】第１電線を第１溝の狭幅部に挿入する状態を示す説明図。
【図１６】ベースに対して第１カバーおよび第２カバーを取付位置に配置した状態であって、第１カバーおよび第２カバーを仮想線で示す斜視図。
【図１７】ベースに対して第１カバーおよび第２カバーを取付位置に配置した状態を示す斜視図。
【図１８】図１７のＸＸＶＩＩＩ−ＸＶＩＩＩ線の断面図。
【図１９】図１７のＸＩＸ−ＸＩＸ線の断面図。
【図２０】図１７のＸＸ−ＸＸ線の断面図。
【図２１】図１７のＸＸＩ−ＸＸＩ線の断面図。
【図２２】実施態様の一例である接続素子の正面図。
【図２３】実施態様の一例である接続素子の正面図。
【図２４】実施態様の一例である接続素子の正面図。
【図２５】従来の接続素子を示す正面図。
【図２６】従来の接続素子の溝に、合成樹脂製の被覆部を有する電線の導電部を挿入する場合を示す説明図。
【図２７】従来の接続素子の溝に、紙製の被覆部を有する電線の導電部を挿入する場合を示す説明図。
【発明を実施するための形態】
【００１６】
添付の図面を参照してこの発明に係るコネクタ１の詳細を説明すると以下のとおりである。
【００１７】
図１は、コネクタ１の分解斜視図である。コネクタ１は、縦方向Ｘと、縦方向Ｘに直交する横方向Ｙと、縦方向Ｘおよび横方向Ｙにそれぞれ直交する厚さ方向Ｚとを有する。
【００１８】
コネクタ１は、ベース１０と、ベース１０に取り付ける第１カバー３０及び第２カバー４０と、導電部５１を紙製の被覆部５２で被覆した第１電線５０と（図１１参照）、導電部５６を合成樹脂製の被覆部５７で被覆した第２電線５５とを電気的に接続する接続素子６０（図１１参照）と、紙製の被覆部５２で被覆した第１電線５０を切断する切断手段７７と、第１仮固定手段８０と、第２仮固定手段９０とを備えている。
【００１９】
ベース１０は、例えば弾性を有する絶縁性の合成樹脂材料で一体的に形成してある。このベース１０は、図２に示すように、縦方向Ｘおよび横方向Ｙにそれぞれ延びる矩形の底部１１と、底部１１の横方向Ｙの両端部から厚さ方向Ｚへ延びる第１側方ベース壁部１２ａおよび第２側方ベース壁部１２ｂと、底部１１の横方向Ｙの中央から厚さ方向Ｚへ延びる中央ベース壁部１２ｃと、第２側方ベース壁部１２ｂと中央ベース壁部１２ｃとを連結し、横方向Ｙへ延びる連結ベース壁部１２ｄとを備えている。
【００２０】
ベース１０には、第１側方ベース壁部１２ａと中央ベース壁部１２ｃとの間に第１対向空間１３ａを画成してあり、第２側方ベース壁部１２ｂと中央ベース壁部１２ｃとの間に第２対向空間１３ｂを画成してある。第１対向空間１３ａの縦方向Ｘの両端部には、第１開口１４ａおよび第２開口１４ｂを形成してある。また、中央ベース壁部１２ｃの縦方向Ｘの中央には、第３開口１４ｃを形成してある。
【００２１】
第２対向空間１３ｂの縦方向Ｘの一端部には、第４開口１４ｄを形成してある。また、第２対向空間１３ｂの横方向Ｙの一端部には、第５開口１４ｅを形成してある。
【００２２】
底部１１には、第１対向空間１３ａから第２対向空間１３ｂへ向けて横方向Ｙへ延びる長溝（溝）１５ａ，１５ｂを形成してある。一方の長溝１５ａは、第１開口１４ａに近接するように配置してある一方、他方の長溝１５ｂは、一方の長溝１５ａよりも第１開口１４ａに対する距離が長くなるように離間して配置してある。換言すれば、一方の長溝１５ａと他方の長溝１５ｂは、縦方向Ｘにおいて、第１開口１４ａに対する離間距離が異なるように底部１１に配置してある。一方の長溝１５ａと他方の長溝１５ｂとは、横方向Ｙの長さ寸法が例えば同一であるが、一方の長溝１５ａは、第１側方ベース壁部１２ａに近接するように配置してある一方、他方の長溝１５ｂは、第２側方ベース壁部１２ｂに近接するように配置してある。
【００２３】
底部１１の第１対向空間１３ａには、横方向Ｙへ延びる２本の短溝１６ａ，１６ｂを２本形成してある。一方の短溝１６ａは、第２開口１４ｂに近接するように配置してある一方、他方の短溝１６ｂは、一方の短溝１６ａよりも第２開口１４ｂに対する距離が長くなるように離間して配置してある。換言すれば、一方の短溝１６ａと他方の短溝１６ｂは、縦方向Ｘにおいて、第２開口１４ｂに対する離間距離が異なるように底部１１に配置してある。一方の短溝１６ａと他方の短溝１６ｂとは、横方向Ｙの長さ寸法が例えば同一であるが、一方の短溝１６ａは、第１側方ベース壁部１２ａに近接するように配置してある一方、他方の短溝１６ｂは、第１側方ベース壁部１２ａに離間するように配置してある。
【００２４】
底部１１には、各短溝１６ａ，１６ｂの縦方向Ｘの両端に、底部１１から突出する凸部１７をそれぞれ設けてある。
【００２５】
底部１１の第１対向空間１３ａにおいて、第１開口１４ａの近傍には、底部１１から突出するように厚さ方向Ｚへ延びる突出部１８ａ，１８ｂを２つ形成してある。一方の突出部１８ａは、第１開口１４ａに近接するように配置してある一方、他方の突出部１８ｂは、一方の突出部１８ａよりも第１開口１４ａに対する距離が長くなるように離間して配置してある。換言すれば、一方の突出部１８ａと他方の突出部１８ｂは、縦方向Ｘにおいて、第１開口１４ａに対する離間距離が異なるように底部１１に配置してある。この突出部１８ａ，１８ｂは、後述するベース１０に対して第１カバー３０を取付位置に配置した状態では、後述する電線挿入溝３２ａ、３３ａへ向けて突出するように形成してある。
【００２６】
第１側方ベース壁部１２ａには、横方向Ｙに第１側方ベース壁部１２ａを貫通し、第１仮固定手段８０（図１参照）を構成する係合孔８１，８２，８３を３つ形成してある。第１の係合孔８１は、第１開口１４ａに近接するように配置してあり、第２の係合孔８２は、第２開口１４ｂに近接するように配置してあり、第３の係合孔８３は、縦方向Ｘにおいて、第１の係合孔８１と第２の係合孔８２との間に配置してある。
【００２７】
第１の係合孔８１および第２の係合孔８２は、第１側方ベース壁部１２ａにおいて、底部１１から離間する端部から厚さ方向Ｚへ直状に延びる直状孔部８１ａ，８２ａと、底部１１に近接する直状孔部８１ａ，８２ａの端部から、互いに近接するように折れ曲がる折曲孔部８１ｂ，８２ｂとを有するようにそれぞれ形成してある。
【００２８】
第３の係合孔８３は、第１側方ベース壁部１２ａにおいて、底部１１から離間する端部から厚さ方向Ｚへ直状に延びるように形成してある。
【００２９】
中央ベース壁部１２ｃの第１対向空間１３ａには、横方向Ｙにおいて、第１対向空間１３ａから第２対向空間１３ｂに向けて凹む係合溝８４，８５を２つ形成してある。係合溝８４，８５は、第１仮固定手段８０を構成するものである。第１の係合溝８４は、第１開口１４ａに近接するように配置してある一方、第２の係合溝８５は、第２開口１４ｂに近接するように配置してある。
【００３０】
第１の係合溝８４および第２の係合溝８５は、中央ベース壁部１２ｃにおいて、底部１１から離間する端部から厚さ方向Ｚへ延びる直状溝部８４ａ，８５ａと、底部１１に近接する直状溝部８４ａ，８５ａの端部から、互いに近接するように折れ曲がる折曲溝部８４ｂ，８５ｂとを有するようにそれぞれ形成してある。
【００３１】
ベース１０の第１対向空間１３ａにおいて、第１側方ベース壁部１２ａに形成した係合孔８１，８２，８３は３つである一方、中央ベース壁部１２ｃに形成した係合溝８４，８５は２つである。また、第１側方ベース壁部１２ａの第１の係合孔８１の直状孔部８１ａと第２の係合孔８２の直状孔部８２ａとの縦方向Ｘの離間距離は、中央ベース壁部１２ｃの第１の係合溝８４と第２の係合溝８５との離間距離とが異なるように係合孔８１，８２および係合溝８４，８５を形成してある。
【００３２】
第２側方ベース壁部１２ｂには、横方向Ｙに第２側方ベース壁部１２ｂを貫通し、第２仮固定手段９０（図１参照）を構成する係合孔９１，９２を２つ形成してある。第１の係合孔９１は、第２側方ベース壁部１２ｂにおいて、底部１１から離間する端部から厚さ方向Ｚへ延びる直状孔部９１ａと、底部１１に近接する直状孔部９１ａの端部から第４開口１４ｄへ近接するように折れ曲がる折曲孔部９１ｂとを有するように形成してある。第２の係合孔９２は、底部１１から離間する端部から厚さ方向Ｚに延びるように直状に形成してある。
【００３３】
中央ベース壁部１２ｃの第２対向空間１３ｂには、図３に示すように、横方向Ｙにおいて、第２対向空間１３ｂから第１対向空間１３ａに向けて凹む係合溝９３，９４，９５を３つ形成してある。係合溝９３，９４，９５は、第２仮固定手段９０を構成するものである。第１の係合溝９３は、横方向Ｙにおいて、連結ベース壁部１２ｄに近接するよう配置してあり、第２の係合溝９４は、第４開口１４ｄに近接するよう配置してあり、第３の係合溝９５は、第１の係合溝９３と、第２の係合溝９４との間に配置してある。
【００３４】
係合溝９３，９４，９５は、厚さ方向Ｚに延びるよう直状にそれぞれ形成してある。第２の係合溝９４は、第２側方ベース壁部１２ｂにおいて、底部１１から離間する端部が、第２側方ベース壁部１２ｂの上端部に近接するよう、厚さ方向Ｚに長く形成してある一方、第１の係合溝９３および第３の係合溝９５は、第２側方ベース壁部１２ｂにおいて、底部１１から離間する端部が、第２側方ベース壁部１２ｂの上端部から離間するよう、第２の係合溝９４よりも厚さ方向Ｚに短く形成してある。
【００３５】
ベース１０の第２対向空間１３ｂにおいて、第２側方ベース壁部１２ｂに形成した係合孔９１，９２が２つである一方、中央ベース壁部１２ｃに形成した係合溝９３，９４，９５は３つである。また、縦方向Ｘにおいて、第２側方ベース壁部１２ｂの第１の係合孔９１の直状孔部９１ａと第２の係合孔９２との離間距離と、中央ベース壁部１２ｃの第１の係合溝９３と第２の係合溝９４との離間距離とが異なるように係合孔９１，９２および係合溝９４，９５を形成してある。さらに、縦方向Ｘにおいて、第２側方ベース壁部１２ｂの第１の係合孔９１の直状孔部９１ａと第２の係合孔９２との離間距離は、上述した第１対向空間１３ａにおける第１の係合孔８１の直状孔部８１ａと第２の係合孔８２の直状孔部８２ａとの離間距離と異なり、かつ第１の係合溝８４の直状溝部８４ａと第２の係合溝８５の直状溝部８５ａとの離間距離と異なる。また、第２対向空間１３ｂにおける中央ベース壁部１２ｃの第１の係合溝９３と第２の係合溝９４との離間距離は、上述した第１対向空間１３ａにおける第１の係合孔８１の直状孔部８１ａと第２の係合孔８２の直状孔部８２ａとの離間距離と異なり、かつ第１の係合溝８４の直状溝部８４ａと第２の係合溝８５の直状溝部８５ａとの離間距離と異なる。
【００３６】
第１カバー３０は、例えば絶縁性の合成樹脂材料によって、第１側方ベース壁部１２ａおよび中央ベース壁部１２ｃよりも剛性を有するように形成してある。
【００３７】
第１カバー３０は、図１，図４に示すように、ベース１０の第１対向空間１３ａを覆うように略直方体状を成す態様で形成してある。より具体的には、第１カバー３０は、第１カバー３０をベース１０に取り付けた状態において、底部１１に対向する第１カバー天部３１と、第１側方ベース壁部１２ａに対向する第１カバー横方向側壁部３２と、中央ベース壁部１２ｃに対向する第１カバー横方向側壁部３３と、第１開口１４ａに位置する第１カバー縦方向側壁部３４と、第２開口１４ｂに位置する第１カバー縦方向側壁部３５とを備えている。
【００３８】
第１カバー３０が第１対向空間１３ａに挿入できるように、第１カバー横方向側壁部３２と第１カバー横方向側壁部３３との横方向Ｙの離間寸法は、ベース１０における第１側方ベース壁部１２ａと中央ベース壁部１２ｃとの横方向Ｙの対向距離よりもわずかに小さい。
【００３９】
第１カバー横方向側壁部３２，３３には、紙製の被覆部５２で被覆された電線が挿入できる電線挿入溝３２ａ，３３ａを形成してある。一方の電線挿入溝３３ａは、図１９に示すように、その一方の端部が、第１カバー縦方向側壁部３４に現れ、かつ他方の端部が、第１カバー縦方向側壁部３５に現れるように縦方向Ｘに延びる態様で形成してある。他方の電線挿入溝３２ａについては、図示省略するが、一方の電線挿入溝３３ａと同様に、その一方の端部が、第１カバー縦方向側壁部３４に現れ、かつ他方の端部が、第１カバー縦方向側壁部３５に現れるように横方向Ｙに延びる態様で形成してある。
【００４０】
第１カバー縦方向側壁部３４の縦方向Ｘの中央には、図４に示すように、横方向Ｙへ延び、後述する第１接続素子６０ａ（図１参照）を挿入する接続素子挿入溝３６を形成してある。第１カバー縦方向側壁部３５の縦方向Ｘの中央には、図５に示すように、横方向Ｙへ延び、後述する第２接続素子６０ｂ（図１参照）を挿入する接続素子挿入溝３７を形成してある。
【００４１】
第１カバー横方向側壁部３２において、電線挿入溝３２ａよりも底部１１に近接する側の端部には、第１仮固定手段８０を構成する係合爪８６ａ，８６ｂ，８６ｃ，８６ｄ，８６ｅを５つ形成してある。
【００４２】
第１の係合爪８６ａおよび第２の係合爪８６ｂは、縦方向Ｘの両端に配置してある。第３の係合爪８６ｃおよび第４の係合爪８６ｄは、接続素子挿入溝３６に近接するよう縦方向Ｘのほぼ中央に配置してある。第５の係合爪８６ｅは、第１の係合爪８６ａと第３の係合爪８６ｃとの間に配置してある。
【００４３】
第１の係合爪８６ａおよび第２の係合爪８６ｂは、第１側方ベース壁部１２ａの縦方向Ｘにおける第１の係合孔８１の直状孔部８１ａと、第２の係合孔８２の直状孔部８２ａとの離間距離に対応するよう配置してある。
【００４４】
第５の係合爪８６ｅは、縦方向Ｘにおいて、第１側方ベース壁部１２ａの第３の係合孔８１ｃに対応するよう配置してある。
【００４５】
第３の係合爪８６ｃおよび第４の係合爪８６ｄは、第１側方ベース壁部１２ａの縦方向Ｘにおける第１の係合孔８１の折曲孔部８１ｂと、第２の係合孔８２の折曲孔部８２ｂとの離間距離に対応するよう配置してある。
【００４６】
第１の係合爪８６ａおよび第２の係合爪８６ｂは、厚さ方向Ｚにおいて、底部１１に最も近接するように配置してあり、底部１１に対する厚さ方向Ｚの距離が同一となる態様で配置してある。第３の係合爪８６ｃ、第４の係合爪８６ｄ、第５の係合爪８６ｅは、厚さ方向Ｚにおいて、第１の係合爪８６ａおよび第２の係合爪８６ｂよりも底部１１に離間するように配置してあり、底部１１に対する厚さ方向Ｚの距離が同一となるように配置してある。
【００４７】
係合爪８６ａ〜８６ｅは、横方向Ｙにおける第１カバー横方向側壁部３２からの突出距離が同一である。
【００４８】
第１カバー横方向側壁部３３において、図５に示すように、電線挿入溝３３ａよりも底部１１に近接する側の端部には、第１仮固定手段８０を構成する係合爪８７ａ，８７ｂ，８７ｃ，８７ｄを４つ形成してある。
【００４９】
第１の係合爪８７ａおよび第２の係合爪８７ｂは、縦方向Ｘの両端に配置してある。第３の係合爪８７ｃは、第１の係合爪８７ａに近接するよう配置してある。第４の係合爪８７ｄは、第２の係合爪８７ｂに近接するよう配置してある。
【００５０】
第１の係合爪８７ａおよび第２の係合爪８７ｂは、中央ベース壁部１２ｃの縦方向Ｘにおける第１の係合溝８４の直状溝部８４ａと、第２の係合溝８５の直状溝部８５ａとの離間距離に対応するよう配置してある。
【００５１】
第３の係合爪８７ｃおよび第４の係合爪８７ｄは、中央ベース壁部１２ｃの縦方向Ｘにおける第１の係合溝８４の折曲溝部８４ｂと、第２の係合溝８５の折曲溝部８５ｂとの離間距離に対応するよう配置してある。
【００５２】
第１の係合爪８７ａおよび第２の係合爪８７ｂは、厚さ方向Ｚにおいて、底部１１に最も近接するように配置してあり、底部１１に対する厚さ方向Ｚの距離が同一となる態様で配置してある。第３の係合爪８７ｃおよび第４の係合爪８７ｄは、厚さ方向Ｚにおいて、第１の係合爪８７ａおよび第２の係合爪８７ｂよりも底部１１に離間するように配置してあり、底部１１に対する厚さ方向Ｚの距離が同一となるように配置してある。
【００５３】
係合爪８７ａ〜８７ｄは、横方向Ｙにおける第１カバー横方向側壁部３３からの突出距離が同一である。
【００５４】
横方向Ｙにおいて、係合爪８６ａ〜８６ｅの先端と、係合爪８７ａ〜８７ｄの先端との距離は、ベース１０における第１側方ベース壁部１２ａと中央ベース壁部１２ｃとの横方向Ｙの対向距離よりもわずかに大きい。
【００５５】
また、第１カバー縦方向側壁部３５からの第２の係合爪８６ｂの距離と、第１カバー縦方向側壁部３５からの第２の係合爪８７ｂの距離とは異なり、かつ第１カバー縦方向側壁部３４からの第１の係合爪８６ａの距離と、第１カバー縦方向側壁部３４からの第１の係合爪８７ａの距離とが異なる。
【００５６】
第２カバー４０は、例えば絶縁性の合成樹脂材料によって、第２側方ベース壁部１２ｂおよび中央ベース壁部１２ｃよりも剛性を有するように形成してある。
【００５７】
第２カバー４０は、図１，図６に示すように、ベース１０の第２対向空間１３ｂを覆うように略直方体状を成す態様で形成してある。より具体的には、第２カバー４０をベース１０に取り付けた状態において、第２カバー４０は、底部１１に対向する第２カバー天部４１と、中央ベース壁部１２ｃに対向する第２カバー横方向側壁部４２と、第２側方ベース壁部１２ｂに対向する第２カバー横方向側壁部４３と、連結ベース壁部１２ｄに対向する第２カバー縦方向側壁部４４と、第５開口１４ｅに位置する第２カバー縦方向側壁部４５とを備えている。
【００５８】
第２カバー横方向側壁部４２には、横方向Ｙに突出する第１突出部４８を設けてある一方、第２カバー横方向側壁部４３には、図７に示すように、横方向Ｙに突出する第２突出部４９を設けてある。第１突出部４８は、第３開口１４ｃに挿入できるように、第１突出部４８の縦方向Ｘの長さは、第３開口１４ｃの縦方向Ｘの長さよりもわずかに小さくなるよう設定してある。第２突出部４９は、第５開口１４ｅに挿入できるように、第２突出部４９の縦方向Ｘの長さは、第５開口１４ｅの縦方向Ｘの長さよりもわずかに小さくなるよう設定してある。
【００５９】
第２側方ベース壁部１２ｂに第２カバー横方向側壁部４３が対向し、かつ中央ベース壁部１２ｃに第２カバー横方向側壁部４２が対向した状態では、第２カバー４０をベース１０に対して仮固定位置に配置することができる一方、第２側方ベース壁部１２ｂに第２カバー横方向側壁部４２が対向し、かつ中央ベース壁部１２ｃに第２カバー横方向側壁部４３が対向した状態では、第２カバー４０をベース１０に対して仮固定位置に配置することができないように、第２カバー４０における第１突出部４８の縦方向Ｘの位置、および縦方向Ｘの長さと、第２突出部４９の縦方向Ｘの位置、および縦方向Ｘの長さとは異なるように設定してある。
【００６０】
第２カバー４０が第２対向空間１３ｂに挿入できるように、第２カバー横方向側壁部４２と第２カバー横方向側壁部４３との横方向Ｙの離間寸法は、ベース１０における第２側方ベース壁部１２ｂと中央ベース壁部１２ｃとの横方向Ｙの対向距離よりもわずかに小さい。
【００６１】
第２カバー縦方向側壁部４５には、合成樹脂製の被覆部５７で被覆された電線５５ａ，５５ｂが挿入できる電線挿入孔４５ａ，４５ｂを形成してある。一方の電線挿入孔４５ｂは、図１８に示すように、第２カバー縦方向側壁部４５から縦方向Ｘへ延び、第２対向空間１３ｂにおいて第２カバー縦方向側壁部４４で遮断されるよう形成してある。他方の電線挿入孔４５ａは、図示省略するが、第２カバー縦方向側壁部４５から縦方向Ｘへ伸び、第２対向空間１３ｂにおいて第２カバー縦方向側壁部４４で遮断されるように形成してある。
【００６２】
第２カバー横方向側壁部４３において、底部１１に近接する側の端部には、図７に示すように、第２仮固定手段９０を構成する係合爪９６ａ，９６ｂ，９６ｃを３つ形成してある。
【００６３】
第１の係合爪９６ａおよび第２の係合爪９６ｂは、縦方向Ｘの両端に配置してある。第１の係合爪９６ａは、連結ベース壁部１２ｄに対向する第２カバー縦方向側壁部４４に近接するよう配置してある。
【００６４】
第２の係合爪９６ｂは、第４開口１４ｄに位置する第２カバー縦方向側壁部４５に近接するよう配置してある。
【００６５】
第３の係合爪９６ｃは、縦方向Ｘにおいて、第１の係合爪９６ａと第２の係合爪９６ｂとの間に配置してある。より具体的には、第３の係合爪９６ｃは、縦方向Ｘにおいて、第２の係合爪９６ｂに近接し、かつ第１の係合爪９６ａに離間するよう配置してある。
【００６６】
第１の係合爪９６ａおよび第２の係合爪９６ｂは、第２側方ベース壁部１２ｂの縦方向Ｘにおける第１の係合孔９１の折曲孔部９１ｂと、第２の係合孔９２との離間距離に対応するよう配置してある。
【００６７】
第３の係合爪９６ｃは、縦方向Ｘにおいて、第１の係合孔９１の直状孔部９１ａに対応するよう配置してある。
【００６８】
第３の係合爪９６ｃは、厚さ方向Ｚにおいて、底部１１に最も近接するように配置してある。第１の係合爪９６ａ、および第２の係合爪９６ｂは、厚さ方向Ｚにおいて、第３の係合爪９６ｃよりも底部１１に対して離間するように配置してあり、底部１１に対する厚さ方向Ｚの距離が同一となるように配置してある。
【００６９】
係合爪９６ａ〜９６ｃは、横方向Ｙにおける第２カバー横方向側壁部４２からの突出距離が同一である。
【００７０】
第２カバー横方向側壁部４２において、底部１１に近接する側の端部には、第２仮固定手段９０を構成する係合爪９７ａ，９７ｂ，９７ｃを３つ形成してある。
【００７１】
第１の係合爪９７ａおよび第２の係合爪９７ｂは、中央ベース壁部１２ｃの第１の係合溝９３と、第２の係合溝９４との縦方向Ｘの離間距離に対応するよう配置してある。
【００７２】
第３の係合爪９７ｃは、縦方向Ｘにおいて、第３の係合溝９５に対応するよう配置してある。
【００７３】
第２の係合爪９７ｂは、厚さ方向Ｚにおいて、底部１１に最も近接するように配置してある。第１の係合爪９７ａ、および第３の係合爪９７ｃは、厚さ方向Ｚにおいて、第２の係合爪９７ｂよりも底部１１に離間するように配置してあり、かつ底部１１に対する厚さ方向Ｚの距離が同一となるように配置してある。
【００７４】
係合爪９７ａ〜９７ｃは、横方向Ｙにおける第２カバー横方向側壁部４３からの突出距離が同一である。
【００７５】
横方向Ｙにおいて、係合爪９６ａ〜９６ｃの先端と、係合爪９７ａ〜９７ｃの先端との距離は、ベース１０における第２側方ベース壁部１２ｂと中央ベース壁部１２ｃとの横方向Ｙの対向距離よりもわずかに大きい。
【００７６】
また、第２カバー横方向側壁部４３における第２カバー縦方向側壁部４５からの第２の係合爪９６ｂの距離と、第２カバー横方向側壁部４２における第２カバー縦方向側壁部４５からの第２の係合爪９７ｂの距離とは異なる。
【００７７】
図８は、紙製の絶縁性を有する被覆部で被覆された第１電線５０の断面図である。第１電線５０は、銅等の導電性の金属で形成された導電部５１を有し、その導電部５１が紙製の被覆部５２で被覆されている。導電部５１の径方向の長さ寸法はＤ１であり、被覆部５２を含めた径方向の長さ寸法はＤ２である。
【００７８】
図９は、合成樹脂製の絶縁性を有する被覆部で被覆された第２電線５５の断面図である。第２電線５５は、銅等の導電性の金属で形成された導電部５６を有し、その導電部５６が合成樹脂製の被覆部５７で被覆されている。導電部５６の径方向の長さ寸法はＤ３である。
【００７９】
接続素子６０は、図１に示すように、紙製の被覆部５２を有する一方の第１電線５０ａ（図１７参照）と、合成樹脂製の被覆部５７を有する一方の第２電線５５ａ（図１７参照）との２本の電線５０ａ，５５ａを電気的に接続する第１接続素子６０ａ（６０）と、紙製の被覆部５２を有する他方の第１電線５０（図１７参照）と、合成樹脂製の被覆部５７を有する他方の第２電線５５（図１７参照）との２本の電線５０ｂ，５５ｂを電気的に接続する第２接続素子６０ｂ（６０）とで構成してある。第１接続素子６０ａと第２接続素子６０ｂは、同一の構成であるため、第１接続素子６０ａの構成を説明し、第２接続素子６０ｂの説明を省略する。
【００８０】
図１０において、接続素子６０は、例えば銅などの導電性の金属を一枚の板状をなすように形成してある。第１接続素子６０は、第１電線５０を挿入するための第１溝６１を有する第１接続部６２と、第２電線５５を挿入するための第２溝６３を有する第２接続部６４と、第１接続部６２および第２接続部６４を連結する連結部６５と、第１接続部６２の側縁および第２接続部６４の側縁のそれぞれにおいて横方向Ｙの外側に向かって突出する一対の突出部６６とを備えている。一対の突出部６６の横方向Ｙの長さ寸法は、ベース１０の長溝１５ａの横方向Ｙの長さ寸法よりもわずかに大きく、接続素子６０の突出部６６を、ベース１０の長溝１５ａに圧入することによって、一対の突出部６６を長溝１５ａの壁に接触させてベース１０に接続素子６０を取り付ける。
【００８１】
第１接続部６２は、連結部６５から厚さ方向Ｚへ細長く延びるように形成してあり、かつ第１接続部６２の横方向Ｙの中央における第１溝６１は、第１溝６１の両側に位置する一対の対向側壁６２ａによって形成されている。一対の対向側壁６２ａは、図１０（ａ）の上端部分に、後記被覆剥離部６９を有し、その被覆剥離部６９に、電線５０（図１３参照）が押し当てられると、一対の対向側壁６２ａは、第１溝６１の幅を広げるように弾性変形して、その電線５０を受け入れる。
【００８２】
第２接続部６４は、連結部６５から厚さ方向Ｚへ細長く延びるように形成してあり、かつ第２接続部６４の横方向Ｙの中央における第２溝６３は、第２溝６３の両側に位置する一対の対向側壁６４ａによって形成されている。一対の対向側壁６４ａは、第２接続部６４の先端部分に、電線５５（図１６参照）が押し当てられて第２溝６３の幅を広げるように力が加えられた場合には弾性変形して、その電線５５を受け入れる。
【００８３】
対向側壁６２ａ，６４ａのそれぞれの先端には、挿入方向Ｉである図の下方へ向かって下り勾配となる一対の電線案内部６７，７３のそれぞれを設けてある。
【００８４】
第１接続部６２の第１溝６１の入り口には、一対の被覆剥離部６９を形成してある。一対の被覆剥離部６９の離間距離ｈ１は、例えば電線５０の被覆部５２を含めた直径Ｄ２よりも小さい。
【００８５】
一対の被覆剥離部６９は、対向側壁６２ａそれぞれの先端部の内側縁から互いに接近するように延びていて、横方向Ｙにおいて互いに対向している。これらの被覆剥離部６９は、電線５０を第１溝６１に挿入する場合、電線５０の挿入方向Ｉとは反対の方向に向かって上り勾配となるように傾斜しているため、換言すると、被覆剥離部６９の延びる方向７９（図１０（ｂ）参照）と挿入方向Ｉとの交差角度θ１が鈍角となるように延びているため、被覆剥離部６９のそれぞれは、挿入する電線５０に対してその下側から被覆部５２に突き刺さるように接触することが可能になる。一対の被覆剥離部６９は、互いの離間距離ｈ１を広げながら電線５０に強く接触することによって電線５０の被覆部５２を確実に剥離することができる。
【００８６】
第１接続部６２は、第１溝６１の底部７５と被覆剥離部６９との間であって、被覆剥離部６９に近接するように位置し、横方向Ｙにおける寸法、すなわち第１溝６１の幅方向における寸法ｈ２が、一対の被覆剥離部６９の離間距離ｈ１よりも大きい拡幅部７０を備えている。図１０（ｂ）に示す例では、拡幅部７０における寸法ｈ２は、被覆部５２を含めた電線５０の直径Ｄ２よりも大きい。
【００８７】
第１接続部６２では、第１溝６１の拡幅部７０における挿入方向Ｉの下端部が、挿入方向Ｉへ向かって下り勾配となるように傾斜する態様で狭幅部７１につながっている。図１０（ｂ）における狭幅部７１の幅ｈ３の寸法は、電線５０との電気的な接触を確実に得ることができるように設定される。その一例において、幅ｈ３の寸法は、被覆剥離部６９の離間距離ｈ１と同一である場合がある。すなわち、第１溝６１へ電線５０を挿入すると（図１３〜１５参照）、狭幅部７１は、電線５０の導電部５１に両側から密着する。第１溝６１において、拡幅部７０から狭幅部７１へと変化する部位は、電線５０の被覆部５２に対して第２の被覆剥離部として作用することも可能である。好ましい狭幅部７１は、第１溝６１の底部７５に至るまでの全長にわたって幅ｈ３が一様に形成されている。
【００８８】
第２接続部６４の第２溝６３の電線案内部７３の挿入方向Ｉの下端部は、第３被覆剥離部７４につがっている。図１０（ａ）に示す例では、第３被覆剥離部７４の奥側は、挿入方向Ｉへ向かって一様な幅ｈ５となるように形成してある。第３被覆剥離部７４の幅ｈ５は、第２電線５５の導電部５６の直径Ｄ３よりも小さい。第３被覆剥離部７４の上端部は、第２電線５５のおける合成樹脂製の被覆部５７を剥離するものである。
【００８９】
図２に示すベース１０の短溝１６ａ，１６ｂには、切断手段７７の基端部７７ａをそれぞれ挿入してあり（短溝１６ｂについては図１９参照）、図１に示すように、ベース１０の第１対向空間１３ａの底部１１には、図１の上方へ向けて先端の刃７８が延びる切断手段７７を設けてある。
【００９０】
このようなコネクタ１において、先ず、第１カバー３０の一方の電線挿入溝３２ａに、紙製の被覆部５２を有する一方の第１電線５０ａを挿入し、かつ他方の電線挿入溝３３ａに、紙製の被覆部５２を有する他方の第２電線５０ｂを挿入する。次に、第１カバー３０の第１の係合爪８７ａを、中央ベース壁部１２ｃの第１の係合溝８４の直状溝部８４ａに入れ、かつ第１カバー３０の第２の係合爪８７ｂを、中央ベース壁部１２ｃの第２の係合溝８５の直状溝部８５ａに入れる。この状態では、第１カバー３０の係合爪８７ｃ，８７ｄの下端は、中央ベース壁部１２ｃの上端部に当接して、中央ベース壁部１２ｃの上端から第１カバー３０の係合爪８７ｃ，８７ｄが現れる。
【００９１】
次いで、中央ベース壁部１２ｃに対して第１側方ベース壁部１２ａが横方向Ｙに離間するように力を加えつつ、第１カバー３０の第１の係合爪８６ａを、第１側方ベース壁部１２ａの第１の係合孔８１の直状孔部８１ａに入れ、かつ第１カバー３０の第２の係合爪８６ｂを、第１側方ベース壁部１２ａの第２の係合孔８２の直状孔部８２ａに入れて、図１１に示すように、第１側方ベース壁部１２ａに第１カバー横方向側壁部３２が対向し、かつ中央ベース壁部１２ｃに第１カバー横方向側壁部３３が対向し、第１側方ベース壁部１２ａの上端から第１カバー３０の係合爪８６ｃ，８６ｄ，８６ｅが現れ、かつ中央ベース壁部１２ｃの上端から第１カバー３０の係合爪８７ｃ，８７ｄが現れる第１仮固定位置に第１カバー３０を仮固定する。この場合において、操作を誤ったとしても、第１カバー縦方向側壁部３５からの第２の係合爪８６ｂの距離と、第１カバー縦方向側壁部３５からの第２の係合爪８７ｂの距離とが異なるため、第１側方ベース壁部１２ａに第１カバー横方向側壁部３３が対向し、かつ中央ベース壁部１２ｃに第１カバー横方向側壁部３２が対向した状態では、係合爪８６ａ，８６ｂを係合溝８４，８５に入れることができず、かつ係合爪８７ａ，８７ｂを係合孔８１，８２に入れることができない。また、仮に、第１カバー３０を誤って第２対向空間１３ｂに配置しようとした場合には、電線５０ａ，５０ｂの端部が、連結ベース壁部１２ｄに当たるため、第２対向空間１３ｂに第１カバー３０を配置することはできない。
【００９２】
次いで、合成樹脂製の被覆部５７を有する２本の第２電線５５ａ，５５ｂを用意し、第２電線５５ａ，５５ｂの一方の端部を切断してから、切断した端部が、第２カバー縦方向側壁部４４に当たるように、第２電線５５ａ，５５ｂを第２カバー４０の電線挿入孔４５ａ，４５ｂにそれぞれ挿入する。
【００９３】
次いで、第２カバー４０の第１突出部４８を第３開口１４ｃに入れ、かつ第２突出部４９を第５開口１４ｅに入れるとともに、第２の係合爪９７ｂを中央ベース壁部１２ｃの第２の係合溝９４に入れる。この状態では、図示省略するが、第２カバー４０の係合爪９７ａ，９７ｃの下端は、中央ベース壁部１２ｃの上端部に当接して、中央ベース壁部１２ｃの上端から第２カバー４０の係合爪９７ａ，９７ｃが現れる。
【００９４】
次いで、中央ベース壁部１２ｃに対して第２側方ベース壁部１２ｂが横方向Ｙに離間するように力を加えつつ、第２カバー４０の第３の係合爪９６ｃを、第２側方ベース壁部１２ｂの第２の係合孔９１の直状孔部９１ａに入れて、図１２に示すように、ベース１０の第２対向空間１３ｂを第２カバー４０で覆う。この状態では、中央ベース壁部１２ｃに第２カバー横方向側壁部４２が対向し、かつ第２側方ベース壁部１２ｂに第２カバー横方向側壁部４３が対向し、第２側方ベース壁部１２ｂの上端から第２カバー４０の係合爪９６ａ，９６ｂが現れ、かつ中央ベース壁部１２ｃの上端から第２カバー４０の係合爪９７ａ，９７ｃが現れる第２仮固定位置に第２カバー４０を仮固定する。この場合において、操作を誤ったとしても、第２カバー４０における第１突出部４８の縦方向Ｘの位置、および縦方向Ｘの長さと、第２突出部４９の縦方向Ｘの位置、および縦方向Ｘの長さとは異なるように設定してあるため、第２側方ベース壁部１２ｂに第２カバー横方向側壁部４２が対向し、かつ中央ベース壁部１２ｃに第２カバー横方向側壁部４３が対向した状態では、第２カバー４０をベース１０に対して仮固定位置に配置することができない。また、仮に、第２カバー４０を誤って第１対向空間１３ａに配置しようとした場合には、第１突出部４８が第１側方ベース壁部１２ａに当たるため、第１対向空間１３ａに第２カバー４０を配置することはできない。
【００９５】
次に、ベース１０に対する第２カバー４０の取り付けを説明する。先ず、横方向Ｙにおいて、中央ベース壁部１２ｃの頂部と第２側方ベース壁部１２ｂの頂部とが離間するように力を加えつつ、厚さ方向Ｚにおいて、ベース１０の底部１１に、第２カバー天部４１が接近するように、第２カバー４０を移動する。
【００９６】
この第２カバー４０の厚さ方向Ｚの移動の際、第２カバー横方向側壁部４３と、第２側方ベース壁部１２ｂとの間において、第３の係合爪９６ｃは、第１の係合孔９１の直状孔部９１ａの内部を移動し、第２カバー横方向側壁部４２と、中央ベース壁部１２ｃとの間において、第２の係合爪９７ｂは、第２の係合溝９４の内部を移動して第２カバー４０の厚さ方向Ｚの移動を案内する。
【００９７】
やがて、第２カバー横方向側壁部４３と第２側方ベース壁部１２ｂとの間において、第１の係合爪９６ａが、第２の係合孔９２に位置し、第２の係合爪９６ｂが、第２の係合孔９１の折曲孔部９１ｂに位置するとともに、第２カバー横方向側壁部４３と中央ベース壁部１２ｃとの間において、第１の係合爪９７ａが第１の係合溝９３に位置し、第３の係合爪９７ｃが第３の係合溝９５に位置した場合、係合爪９６ａ〜９６ｃが係合孔９１〜９２に係合するとともに、係合爪９７ａ〜９７ｃが係合溝９３〜９５に係合して、横方向Ｙにおいて、中央ベース壁部１２ｃの頂部と第２側方ベース壁部１２ｂの頂部とが近接して、第２カバー４０がベース１０に取り付けられる。
【００９８】
また、上述したベース１０に対する第２カバー４０の厚さ方向Ｚの移動において、合成樹脂製の被覆部５７を有する電線５５と、接続素子６０との関係を説明すると、以下のようになる。
【００９９】
図示省略するが、第２カバー４０がベース１０に対して第２仮固定位置に配置される状態では、第２電線５５は、第２溝６３の上方に配置される。仮に、第２電線５５が、図１０（ａ）における第２溝６３の上方から左側若しくは右側にずれたとしても、一対の電線案内部７３によって、第２溝６３の上方に第２電線５５が配置されることとなる。
【０１００】
次に、第３被覆剥離部７４の幅寸法ｈ５は、電線５５の導電部５６の直径Ｄ３よりも小さいため、電線５５の下方への移動に伴って、図９中における導電部５６の左右方向の被覆部５７が電線５５から剥がされる。
【０１０１】
最後に、電線５５はさらに下方へ移動してから、第２接続部６４の第２溝６３の第３被覆剥離部７４の奥側において、導電部５６と第２接続部６４とが電気的に接続された状態で停止する。
【０１０２】
次に、ベース１０に対する第１カバー３０の取付けを説明する。先ず、横方向Ｙにおいて、中央ベース壁部１２ｃの頂部と第１側方ベース壁部１２ａの頂部とが離間するように力を加えつつ、厚さ方向Ｚにおいて、ベース１０の底部１１に、第１カバー天部３１が接近するように、第１カバー３０を移動する。
【０１０３】
この第１カバー３０の厚さ方向Ｚの移動の際、第１カバー横方向側壁部３２と、第１側方ベース壁部１２ａとの間において、第１の係合爪８６ａは、第１の係合孔８１の直状孔部８１ａの内部を移動し、かつ第２の係合爪８６ｂは、第２の係合孔８２の直状孔部８２ａの内部を移動し、第１カバー横方向側壁部３３と、中央ベース壁部１２ｃとの間において、第１の係合爪８７ａは、第１の係合溝８４の直状溝部８４ａの内部を移動し、かつ第２の係合爪８７ｂは、第２の係合溝８５の直状溝部８５ａの内部を移動して第１カバー３０の厚さ方向Ｚの移動を案内する。
【０１０４】
やがて、第１カバー横方向側壁部３２と、第１側方ベース壁部１２ａとの間において、第３の係合爪８６ｃが、第３の係合孔８３に位置し、第４の係合爪８６ｄが、第２の係合孔８２の折曲孔部８２ｂに位置し、第５の係合爪８６ｅが、第１の係合孔８１の折曲孔部８１ｂに位置するとともに、第１カバー横方向側壁部３３と、中央ベース壁部１２ｃとの間において、第３の係合爪８７ｃが、第１の係合溝８４の折曲溝部８４ｂに位置し、第４の係合爪８７ｄが、第２の係合溝８５の折曲溝部８５ｂに位置した場合、第１カバー横方向側壁部３２と第１側方ベース壁部１２ａとの間で係合爪８６ａ〜８６ｅが係合孔８１〜８３に係合するとともに、第１カバー横方向側壁部３３と、中央ベース壁部１２ｃとの間で係合爪８７ａ〜８７ｄが係合溝８４〜８５に係合し、かつ横方向Ｙにおいて、中央ベース壁部１２ｃの頂部と第１側方ベース壁部１２ａの頂部とが近接して、第１カバー３０がベース１０に取り付けられる。
【０１０５】
また、上述したベース１０に対する第１カバー３０の厚さ方向Ｚの移動において、紙製の被覆部５２を有する第１電線５０と、接続素子６０との関係を説明すると、以下のようになる。
【０１０６】
図１３に示すように、コネクタ１に接続しようとする第１電線５０は、第１溝６１の上方に位置させる。図１３において、第１電線５０は、第１溝６１の上方において左側若しくは右側にずれたとしても、一対の電線案内部６７によって、第１溝６１の上方に案内される。
【０１０７】
第１溝６１における一対の被覆剥離部６９の離間距離ｈ１は、電線５０の導電部５１の直径Ｄ１よりも小さいため、電線５０が挿入方向Ｉへ動くと、図１４に示すように、被覆剥離部６９の先端部分が挿入方向Ｉの反対方向から、すなわち図１３の第１電線５０の下側から被覆部５２を突き破り、導電部５１の周面に沿って被覆部５２を剥離させる。離間距離ｈ１よりも大きな寸法の直径Ｄ１を有する導電部５１は、被覆剥離部６９に押し当てられて被覆剥離部６９および導電部５１が変形する。剥がされた被覆部５２は、一対の被覆剥離部６９の上方に残る（図１５参照）。また、剥がされた被覆部５２の一部が電線５０に残っている場合には、電線５０の下方への移動に伴って移動する。
【０１０８】
被覆剥離部６９を通過した第１電線５０は、拡幅部７０へ進入してその下方へ向かう。第１電線５０が、被覆剥離部６９を通過するときに、被覆剥離部６９および／または拡幅部７０を形成している対向側壁６２ａは、離間距離ｈ１を大きくするように弾性変形する場合がある。拡幅部７０は、対向側壁６２ａにおいてのそのような弾性変形が容易となるように、対向側壁６２ａの横方向Ｙの寸法を小さくするために設けられている。
【０１０９】
次に、図１５に示すように、第１電線５０は、第１溝６１の狭幅部７１に挿入される。狭幅部７１の幅方向の寸法ｈ３（図１０（ｂ）参照）は、第１電線５０の直径Ｄ１よりも小さいから、第１電線５０の側方に残っている場合の被覆部５２を狭幅部７１において除去することができる。
【０１１０】
最後に、電線５０はさらに下方へ移動してから、第１溝６１の狭幅部７１の
下方において、図２０および図２１に示すように、導電部５１と第１接続部６２とが電気的に接続された状態で停止する。また、第１電線５０および第２電線５５を接続素子６０に接続した状態では、コネクタ１の厚さ方向Ｚにおいて、図２０に示すように、第１電線５０ａの位置と、第２電線５５ａの位置とを実質的に同一にすることができ、図２１に示すように、第１電線５０ｂの位置と、第２電線５５ｂの位置とを実質的に同一にすることができる。さらに、図１６に示すように、厚さ方向Ｚにおいて、第１電線５０ａの位置と第２電線５０ｂの位置とを実質的に同一にすることができ、第２電線５５ａの位置と第２電線５５ｂの位置とを実質的に同一にすることもできる。
【０１１１】
また、上述したベース１０に対する第１カバー３０の厚さ方向Ｚの移動の際、切断手段７７の刃７８によって、第１カバー３０から突出する第１電線５０の一方の端部が切断される。より具体的には、図１７において、第１電線５０が第１カバー３０の側壁部３２，３３，３４，３５の内側で切断される。
【０１１２】
また、係合爪８６ａ〜８６ｅが係合孔８１〜８３に係合するとともに、係合爪８７ａ〜８７ｄが係合溝８４〜８５に係合し、第１カバー天部３１とベース１０の底部１１とが近接した取付状態では、図１９に示すように、底部１１から突出するように厚さ方向Ｚへ延びる突出部１８ａと、第１カバー天部３１との間に第１電線５０ｂが挟まれるため、第１電線５０ｂが第１カバー３０から抜け出ることはない。コネクタ１の外部に延びる第１電線５０ｂに力が加えられた場合であっても、第１カバー天部３１と、ベース１０の突出部１８ａとに電線５０ｂが挟まれているため、第１電線５０ｂがコネクタ１から抜け出ることを確実に防止することができる。また、図１９に示すように、縦方向Ｘにおいて、接続素子６０と電線５０ｂとを電気的に接続した箇所の一方で、ベース１０の突出部１８ａと第１カバー天部３１とで第１電線５０ｂを挟み、他方の箇所で、電線５０ｂの先端を切断手段７７に突き当てているため、コネクタ１における電線５０ｂの右方への移動を抑えることができる。第１電線５０ｂは、底部１１から延びる突出部１８ａと第１カバー天部３１とによって逆Ｖ字状に折り曲げられた状態で挟まれていることによって、左右方向へ動くことがない。
【０１１３】
この発明に係るコネクタ１によれば、接続素子６０は、電線５０との電気的な接触が可能である一対の対向側壁６２ａによって形成されていて電線５０の挿入方向Ｉである深さ方向へ直状に延びる第１溝６１と、第１溝６１の入り口において、対向側壁６２ａのそれぞれから挿入方向Ｉに鈍角で交差する態様で第１溝６１の幅を狭めるように延びる一対の被覆剥離部６９を備えるため、電線５０を第１溝６１に挿入するとき、一対の被覆剥離部６９が、挿入方向Ｉの反対側から第１電線５０の被覆部５２に突き刺さるようにして被覆部５２を剥離することができる。このように作用する被覆剥離部６９は、図２５に示す態様の被覆剥離部１２０，１２１と異なり、紙製の被覆部５２を電線５０から剥離させる場合において特に優れた効果を発揮する。
【０１１４】
加えて、この発明に係るコネクタ１によれば、接続素子６０は、第１溝６１における被覆剥離部６９と狭幅部７１との間であって、被覆剥離部６９に近接するように位置し、横方向Ｙにおける寸法ｈ２が、一対の被覆剥離部６９の離間距離ｈ１よりも大きく、第１電線５０の導電部５１の直径Ｄ１よりも小さい拡幅部７０を備えているため、被覆剥離部６９を通過した電線５０の側部に被覆部５２が残っていても、電線５０が狭幅部７１に近接するのに伴って、その残っている被覆部５２が狭幅部７１の入口に擦れて、電線５０から剥がれる。
【０１１５】
このように、接続素子６０は、拡幅部７０から狭幅部７１へと変化する部位が第２の被覆剥離部として作用するため、電線５０の側方に残った被覆部５２を確実に剥離することができる。
【０１１６】
加えて、この発明に係るコネクタ１によれば、接続素子６０を取り付けるベース１０と、ベース１０に取り付け、紙製の被覆部５２を有する電線５０を挿入する第１カバー３０とをさらに備え、接続素子６０は板状に形成してあり、第１カバー３０には、接続素子６０を挿入する電線挿入溝３２ａ，３２ｂを形成してあり、接続素子６０には、電線挿入溝３２ａ，３２ｂへ向けて延びる一対の突出部１８ａ，１８ｂを設けてあるため、ベース１０に対して第１カバー３０を取付位置に配置した状態では、突出部１８ａ，１８ｂと第１カバー天部３１とで電線５０ａ，５０ｂを挟むことができる。よって、電線５０ａ，５０ｂがコネクタ１から抜け出ることを防止することができる。
【０１１７】
さらに、この発明に係るコネクタ１によれば、ベース１０は、横方向Ｙにおいて、互いに対向するベース壁部１２ａ、１２ｃを備え、第１カバー３０は、一方のベース壁部（第１側方ベース壁部）１２ａに対向する第１カバー横方向側壁部３２と、他方のベース壁部（中央ベース壁部）１２ｃに対向するカバー第２側壁部（第１カバー横方向側壁部）３３とを備え、ベース１０と第１カバー３０との間には、一方のベース壁部１２ａに第１カバー横方向側壁部３２が対向し、かつ他方のベース壁部１２ｃに第１カバー横方向側壁部３３が対向した場合には、ベース１０に第１カバー３０を仮固定可能に保持する一方、一方のベース壁部１２ａに第１カバー横方向側壁部３３が対向し、かつ他方のベース壁部１２ｃに第１カバー横方向側壁部３２が対向した場合には、ベース１０に第１カバー３０を仮固定することができない第１仮固定手段８０を設けてある。よって、縦方向Ｘの向きを誤って、第１カバー３０をベース１０に取り付けることを防止することができる。
【０１１８】
加えて、この発明に係るコネクタ１によれば、ベース１０には、第１カバー３０とベース１０とが近接する取付位置へ第１カバー３０が移動するときに、第１カバー３０から突出する電線５０ａ，５０ｂを切断する切断手段７７を設けてあるため、電線５０ａ，５０ｂの導電部５１が、他の導電部材に接触することを防止することができる。
【０１１９】
この発明における接続素子の第１変形例を図２２（ａ），（ｂ）に示す。図２２（ａ）は、接続素子１６０の正面図であり、図２２（ｂ）は、接続素子１６０の部分拡大図である。なお、図２２（ａ），（ｂ）に示す接続素子１６０において、上述した接続素子６０と同様の構成には同一の符号を付して説明を省略する。
【０１２０】
この接続素子１６０は、第１溝６１の入り口において、対向側壁６２ａのそれぞれから挿入方向Ｉに直交する態様で第１溝６１の幅を狭めるように延びる一対の被覆剥離部１６９を備えている。より具体的には、挿入方向Ｉと、被覆剥離部１６９の延びる方向１７９とが直交して交差角度θ２が直角となるように、対向側壁６２ａの内側縁から被覆剥離部１６９が突出する。一対の被覆剥離部１６９の離間距離ｈ１は、被覆部５２を含めた電線５０の直径Ｄ２（図８参照）よりも小さい。
【０１２１】
この発明に係る接続素子１６０によれば、電線５０との電気的な接触が可能である一対の対向側壁６２ａによって形成されていて電線５０の挿入方向Ｉである深さ方向へ直状に延びる第１溝６１と、第１溝６１の入り口において、対向側壁６２ａのそれぞれから挿入方向Ｉに直交する態様で第１溝６１の幅を狭めるように延びる一対の被覆剥離部１６９を備えるため、電線５０を第１溝６１に挿入するとき、一対の被覆剥離部１６９が、第１電線５０の被覆部５２に、挿入方向Ｉの反対方向からくい込み、被覆剥離部１６９によって被覆部５２を確実に剥離することができるため、紙製の被覆部５２を有する電線５０をコネクタ１に適用する場合であっても、電線５０と第１接続部６２とを電気的に接続することができる。
【０１２２】
接続素子の第２変形例を図２３（ａ），（ｂ）に示す。図２３（ａ）は、接続素子２６０の正面図であり、図２３（ｂ）は、接続素子２６０の部分拡大図である。なお、図２３に示す接続素子２６０において、上述した接続素子６０と同様の構成には同一の符号を付して説明を省略する。接続素子２６０は、拡幅部７０の下端部分である狭幅部２７１の入口が、挿入方向Ｉと反対方向へ傾斜する態様で第１溝６１の幅を狭めるように延びる点のみが、接続素子６０と異なる。なお、接続素子２６０において、被覆剥離部６９に代えて、図２２に示す被覆剥離部１６９を採用することができる。
【０１２３】
接続素子の第３変形例を図２４（ａ），（ｂ）に示す。図２４（ａ）は、接続素子３６０の正面図であり、図２４（ｂ）は、接続素子３６０の部分拡大図である。なお、図２３に示す接続素子２６０において、上述した接続素子６０と同様の構成には同一の符号を付して説明を省略する。接続素子３６０は、拡幅部７０の下端部分である狭幅部３７１の入口が、挿入方向Ｉに直交する態様で第１溝６１の幅を狭めるように延びる点のみが、接続素子６０と異なる。なお、接続素子２６０において、被覆剥離部６９に代えて、図２２に示す被覆剥離部１６９を採用することができる。
【０１２４】
なお、上述した実施の形態には、一対の被覆剥離部６９，１６９の離間距離ｈ１が、電線５０の被覆部５２を含めた直径Ｄ２よりも小さいもので説明した。しかし、この発明は、それに限られず、一対の被覆剥離部６９、１６９の離間距離ｈ１が、電線５０の導電部５１の直径Ｄ１以下であれば、第１電線５０の被覆部５２を確実に剥離することができる。
【０１２５】
また、上述した実施の形態には、第１溝６１の拡幅部７０の幅方向における寸法ｈ２が、導電部５１の直径Ｄ２よりも小さいものを説明した。しかし、この発明はそれに限られず、第１溝６１の拡幅部７０の幅方向における寸法ｈ２は、導電部５１の直径Ｄ２以上でもよい。
【０１２６】
さらに、上述した実施の形態には、第１溝６１の狭幅部７１の幅方向における寸法ｈ３と、一対の被覆剥離部６９の離間距離ｈ１とが同一のものを説明した。しかし、この発明はそれに限られず、第１溝６１の狭幅部７１の幅方向における寸法ｈ３は、一対の被覆剥離部６９の離間距離ｈ１より小さくても、大きくてもよい。ただし、第１溝６１の狭幅部７１の幅方向における寸法ｈ３は、導電部５１の直径Ｄ１よりも小さい。
【０１２７】
また、上述した実施の形態には、紙製の被覆部５２を有する電線５０と、合成樹脂製の被覆部５７を有する電線５５とを電気的に接続する接続素子６０を説明した。しかし、この発明は、それに限られず、紙製の被覆部５２を有する電線５０と、紙製の被覆部５２を有する電線５０とを電気的に接続する接続素子に用いてもよい。その場合には、第２接続部６４に代えて第１接続部６２を用い、接続素子６０は、横方向Ｙにおいて対称のものを用い、第２カバー４０に代えて第１カバー３０を用いる必要がある。
【０１２８】
さらに、上述した実施の形態には、２本の電線５０ａ，５５ａ（５０ｂ，５５ｂ）を接続する接続素子６０ａ（６０ｂ）で説明した。しかし、この発明は、それに限られず、３本以上の電線を接続する接続素子に適用することができる。
【符号の説明】
【０１２９】
１      コネクタ
５０    紙製の被覆部を有する電線
５０ａ  紙製の被覆部を有する電線
５０ｂ  紙製の被覆部を有する電線
５１    導電部
５２    被覆部
５５    合成樹脂製の被覆部を有する電線
５５ａ  合成樹脂製の被覆部を有する電線
５５ｂ  合成樹脂製の被覆部を有する電線
６０    接続素子
６１    第１溝（溝）
６９    被覆剥離部
７０    拡幅部
７１    狭幅部
７５    底部
ｈ１    一対の被覆剥離部の離間距離
ｈ２    第１溝における拡幅部の幅方向の寸法
ｈ３    第１溝における狭幅部の幅方向の寸法
Ｙ      横方向（幅方向）
Ｚ      厚さ方向（深さ方向）
【図１】
2014175052.tif 000003
【図２】
2014175052.tif 000004
【図３】
2014175052.tif 000005
【図４】
2014175052.tif 000006
【図５】
2014175052.tif 000007
【図６】
2014175052.tif 000008
【図７】
2014175052.tif 000009
【図８】
2014175052.tif 000010
【図９】
2014175052.tif 000011
【図１０】
2014175052.tif 000012
【図１１】
2014175052.tif 000013
【図１２】
2014175052.tif 000014
【図１３】
2014175052.tif 000015
【図１４】
2014175052.tif 000016
【図１５】
2014175052.tif 000017
【図１６】
2014175052.tif 000018
【図１７】
2014175052.tif 000019
【図１８】
2014175052.tif 000020
【図１９】
2014175052.tif 000021
【図２０】
2014175052.tif 000022
【図２１】
2014175052.tif 000023
【図２２】
2014175052.tif 000024
【図２３】
2014175052.tif 000025
【図２４】
2014175052.tif 000026
【図２５】
2014175052.tif 000027
【図２６】
2014175052.tif 000028
【図２７】
2014175052.tif 000029